(57)【要約】【課題】癖毛や寝た状態の体毛であっても刃孔に導入して短く仕上げることができ、且つ肌の刃孔を通じての突出量を抑制して使用者に刺激を与えることを防止し、しかも使用時の滑りも良好な電気かみそりを提供する。【解決手段】モータを内蔵する本体部１の外面に配設されるネット状の外刃４と、モータにより駆動されて外刃４の内側を摺動する内刃とを具備する電気かみそりにおいて、多数の刃孔を有する上記外刃４は、刃孔を囲んで形成される桟部の一部の刃厚を薄く設けたものとする。【選択図】図１
2008142275.tif 000002
【特許請求の範囲】
【請求項１】
モータを内蔵する本体部の外面に配設されるネット状の外刃と、モータにより駆動されて外刃の内側を摺動する内刃とを具備する電気かみそりにおいて、多数の刃孔を有する上記外刃は、刃孔を囲んで形成される桟部の一部の刃厚を薄く設けたものであることを特徴とする電気かみそり。
【請求項２】
上記外刃は、刃孔を囲んで形成される複数の桟部を、刃厚の厚い厚桟部と刃厚の薄い薄桟部とで形成したものであることを特徴とする請求項１に記載の電気かみそり。
【請求項３】
厚桟部は、内刃との接触による肌刺激を抑制する刃厚であり、且つ薄桟部は、寝た状態にある体毛と肌との間に入り込む刃厚であることを特徴とする請求項２に記載の電気かみそり。
【請求項４】
上記外刃は、刃孔を囲んで形成される複数の桟部のうち、少なくとも対向位置にある一対の桟部を厚桟部とし、他の桟部を薄桟部としたものであることを特徴とする請求項２又は３に記載の電気かみそり。
【請求項５】
上記外刃は、剃り方向と交差する方向に沿って形成される桟部を、薄桟部としたものであることを特徴とする請求項２〜４のいずれか一項に記載の電気かみそり。
【請求項６】
上記外刃は、その長手方向に沿って形成される桟部を、薄桟部としたものであることを特徴とする請求項５に記載の電気かみそり。
【請求項７】
上記外刃は、その短手方向に沿って形成される桟部を、厚桟部としたものであることを特徴とする請求項２〜６のいずれか一項に記載の電気かみそり。
【請求項８】
上記外刃は、隣接する二以上の刃孔に跨って厚桟部を連続させたものであることを特徴とする請求項２〜７のいずれか一項に記載の電気かみそり。
【請求項９】
上記外刃は、薄桟部の刃厚を４５μｍ以下としたものであることを特徴とする請求項２〜８のいずれか一項に記載の電気かみそり。
【請求項１０】
上記外刃は、薄桟部の刃先角を厚桟部の刃先角よりも小さく設けたものであることを特徴とする請求項２〜９のいずれか一項に記載の電気かみそり。
【請求項１１】
上記外刃は、刃孔を囲んで形成される複数の桟部のうち厚桟部の占める割合を薄桟部の占める割合よりも大きく設けたものであることを特徴とする請求項１〜１０のいずれか一項に記載の電気かみそり。
【発明の詳細な説明】
【技術分野】
【０００１】
本発明は、ネット状の外刃を備える電気かみそりに関するものである。
【背景技術】
【０００２】
多数の刃孔を有するネット状の外刃５０に対して内刃５１を摺動させる電気かみそりにおいては、図１４に示すように、一般的に外刃５０の刃厚Ｔが大きければ体毛６０を引掛け難く（図１４（ａ）参照）、刃厚Ｔが小さくなるほどに体毛６０を引掛けて刃孔内に導入し易くなる（図１４（ｂ）参照）。しかし、図１５に示すように、刃厚Ｔを小さくすれば、押し付けた肌７０が刃孔を通じて内側に突出する量Ｄも大きくなり（図１５（ｂ）参照）、肌７０に与える刺激が増大するという問題がある。一方、刃厚Ｔを大きくすれば肌７０の突出する量Ｄも小さくなって刺激は低減されるものの（図１５（ａ）参照）、その場合は特に癖毛や寝た状態の体毛であれば刃孔に導入することが困難となる。
【０００３】
これに対して、外刃上にノブ型の突起を分散して配置し、これにより外刃自体の刃厚を大きくせずに、肌の内側への突出量を抑制しようとするものが提案されている（特許文献１参照）。しかし、このものにおいては、刃孔から離れた箇所に分散して突起があるだけなので、肌の突出量を充分に制御することができないという問題や、分散して存在する各突起が肌に食い込んでしまい、使用時の肌の滑りが悪くなるといった問題がある。
【特許文献１】特開平４−２４６３９６号公報
【発明の開示】
【発明が解決しようとする課題】
【０００４】
本発明は上記問題点に鑑みて発明したものであって、癖毛や寝た状態の体毛であっても刃孔に導入して短く仕上げることができ、且つ肌の刃孔を通じての突出量を抑制して使用者に刺激を与えることを防止し、しかも使用時の滑りも良好な電気かみそりを提供することを課題とするものである。
【課題を解決するための手段】
【０００５】
上記課題を解決するために本発明を、モータ１８を内蔵する本体部１の外面に配設されるネット状の外刃４と、モータ１８により駆動されて外刃４の内側を摺動する内刃１５とを具備する電気かみそりにおいて、多数の刃孔５を有する上記外刃４は、刃孔５を囲んで形成される桟部２５の一部の刃厚Ｔを薄く設けたものとする。上記構成の電気かみそりにあっては、桟部２５のうち薄く設けた部分によって癖毛や寝た状態の体毛であっても刃孔５に導入して短く仕上げることができ、且つ桟部２５の他の部分によって、肌の刃孔５を通じての突出量を抑制して使用者に刺激を与えることを防止することができる。しかも、外刃４に突起等を設けるのでなく桟部２５自体の厚みを途中で変化させているだけなので、使用時の滑りも良好である。
【０００６】
上記外刃４は、刃孔５を囲んで形成される複数の桟部２５を、刃厚Ｔの厚い厚桟部２５ａと刃厚Ｔの薄い薄桟部２５ｂとで形成したものであることが好適である。厚桟部２５ａは、内刃１５との接触による肌刺激を抑制する刃厚であり、且つ薄桟部２５ｂは、寝た状態にある体毛と肌との間に入り込む刃厚である。このようにすることで、比較的薄く形成してある薄桟部２５ｂによって癖毛や寝た状態の体毛であっても刃孔５に導入して短く仕上げることができ、比較的厚く形成してある厚桟部２５ａによって、肌の刃孔５を通じての突出量を抑制して使用者に刺激を与えることを防止することができる。しかも、刃孔５を囲む複数の桟部２５を厚桟部２５ａと薄桟部２５ｂとで形成してあるだけなので、使用時の滑りも良好である。
【０００７】
また上記外刃４は、刃孔５を囲んで形成される複数の桟部２５のうち、少なくとも対向位置にある一対の桟部２５を厚桟部２５ａとし、他の桟部を薄桟部２５ｂとしたものであることが好適である。このようにすることで、対向する一対の厚桟部２５ａによって、刃孔５からの肌の突出を確実に抑制することができる。
【０００８】
また上記外刃４は、剃り方向と交差する方向に沿って形成される桟部２５を、薄桟部２５ｂとしたものであることが好適である。このようにすることで、癖毛や寝た状態の体毛であっても該体毛と肌との間に薄桟部２５ｂが効果的に入り込み、体毛を起こして刃孔５に導入することができる。
【０００９】
そして、上記外刃４は、その長手方向Ｘに沿って形成される桟部２５を、薄桟部２５ｂとしたものであることが更に好適である。このようにすることで、薄桟部２５ｂは剃り方向と直交することとなり、体毛を起こして刃孔５に導入する確率が更に向上する。
【００１０】
また上記外刃４は、その短手方向Ｙに沿って形成される桟部２５を、厚桟部２５ａとしたものであることが好適である。このようにすることで、厚桟部２５ａは剃り方向に平行となり、肌当たりが更に向上することとなる。
【００１１】
また上記外刃４は、隣接する二以上の刃孔５に跨って厚桟部２５ａを連続させたものであることが好適である。このようにすることで、肌当たりが向上するとともに、外刃４の強度が向上することとなる。
【００１２】
また上記外刃４は、薄桟部２５ｂの刃厚を４５μｍ以下としたものであることが好適である。このようにすることで、体毛を起こして刃孔５に導入する確率が更に向上する。
【００１３】
また上記外刃４は、薄桟部２５ｂの刃先角βを厚桟部２５ａの刃先角αよりも小さく設けたものであることが好適である。このようにすることで、体毛を起こして刃孔５に導入する確率が更に向上する。
【００１４】
また上記外刃４は、刃孔５を囲んで形成される複数の桟部２５のうち厚桟部２５ａの占める割合を薄桟部２５ｂの占める割合よりも大きく設けたものであることが好適である。このようにすることで、刃孔５からの肌の突出を更に確実に抑制し、肌当たりを向上させることができる。
【００１５】
なお、以上述べた各構成は、本発明の趣旨を逸脱しない限り適宜組合せ可能である。
【発明の効果】
【００１６】
発明は、癖毛や寝た状態の体毛であっても刃孔に導入して短く仕上げることができ、且つ肌の刃孔を通じての突出量を抑制して使用者に刺激を与えることを防止し、しかも使用時の滑りも良好であるという効果を奏する。
【発明を実施するための最良の形態】
【００１７】
以下、本発明を添付図面に示す実施形態に基づいて説明する。本発明の実施形態における一例の電気かみそりの全体は図３に示すようなものであり、電池（図示せず）を内蔵するとともに正面にスイッチ部４０を露出させてあるグリップ部２と、このグリップ部２の長手方向端部に揺動自在に接続させたヘッド部３とで、本体部１の主体を成している。以下、このグリップ部２に対してヘッド部３が接続してある方向を上方向とし、グリップ部２を把持してヘッド部３の刃面Ｓにものでありト刃のうち使用時に後側に位置する方に働くを肌に当てる際の手前側を前側、この反対側を後側として説明する。なお、通常の使用時に使用者がヘッド部３の刃面Ｓを肌に当てながら該ヘッド部３を動かす方向（即ち、剃り方向）は前後方向であり、後述の如く、各外刃４の短手方向Ｙ（内刃１５の往復摺動方向と直交する方向）がこの剃り方向となる。
【００１８】
図１等に示すように、ヘッド部３に装着される外刃カセット３０の上端面には、多数の外刃４が前後方向に一列に配設される刃面Ｓを形成してある。外刃４として具体的には、前側から後側へと向けて、第１のネット刃４ａ、仕上げ用ネット刃４ｂ、スリット刃４ｃ、第２のネット刃４ｄが並設されている。
【００１９】
ネット刃４ａ，４ｂ，４ｄはいずれも、上方が凸となるように短手方向Ｙに沿ってＵ字状に湾曲させた長板状部材に多数の体毛導入用の刃孔５（図１０，図１１参照）を穿設したネット状の外刃４であり、第１及び第２のネット刃４ａ，４ｄの刃幅Ｗａ，Ｗｄに比較して仕上げ用ネット刃４ｂはその刃幅Ｗｂを小さく設けてある（図２参照）。なお、この刃幅Ｗａ，Ｗｂ，Ｗｄは、各ネット刃４ａ，４ｂ，４ｄにおける短手方向Ｙ（換言すれば、外刃４の並設方向である前後方向）の幅のことである。このように、仕上げ用ネット刃４ｂは他のネット刃４ａ，４ｂに比して刃幅Ｗｂ、つまり湾曲される曲率半径を小さく設けているので、表面に押し付けた肌を刃孔５から大きく内側に突出させて体毛を短く剃ることが可能になっている。更に、仕上げ用ネット刃４ｂは、第１及び第２のネット刃４ａ，４ｄよりも少なくとも部分的に薄く形成してあるが、この点については後述する。
【００２０】
スリット刃４ｃは、その短手方向Ｙに沿ってコ字状に湾曲させた長板状部材に、その平坦な上壁から側壁に至る体毛導入用の多数のスリットを穿設したものである。仕上げ用ネット刃４ｂを挟んでスリット刃４ｃと反対側となる位置には、肌ガード部材６が取り付けてあり、この仕上げ用ネット刃４ｂを前後に挟むスリット刃４ｃと肌ガード部材６とによって、曲率半径の小さな仕上げ用ネット刃４ｂに肌が強く押し付けられることを効果的に防止している。
【００２１】
図４等に示すように、外刃４を成す各ネット刃４ａ，４ｂ，４ｄ及びスリット刃４ｃは、それぞれ専用の外刃枠７ａ，７ｂ，７ｄ，７ｃに取り付けられており、更に第１及び第２のネット刃４ａ，４ｄが取り付けられる外刃枠７ａ，７ｄには、それぞれ前側及び後側の外刃カバー８ａ，８ｄが取り付けられている。この前側及び後側の外刃カバー８ａ，８ｄと、両外刃カバー８ａ，８ｄに挟まれる二つの外刃枠７ｂ,７ｃとは、それぞれに設けてあるリブ９ａ，９ｂ，９ｃ，９ｄを外刃フレーム１０の上下溝１１ａ，１１ｂ，１１ｃ，１１ｄに係合させることで、独立して上下動自在に保持させている。これにより外刃カセット３０が構成される。
【００２２】
各ネット刃４ａ，４ｂ，４ｄ及びスリット刃４ｃを上下動自在に保持することとなる外刃フレーム１０は、ヘッド部３の両側部に設けた着脱釦１２によって、ヘッド部３の上端に着脱自在に装着される。外刃フレーム１０即ち外刃カセット３０の装着により、ヘッド部３の駆動桿１３ａ，１３ｂ，１３ｃ，１３ｄを露出させてある上端面（図５参照）の上方には、密閉された内刃収納空間が形成される。
【００２３】
内刃１５は、外刃４を成す各ネット刃４ａ，４ｂ，４ｄ及びスリット刃４ｃに対して専用のものが設置される。即ち図４に示すように、各ネット刃４ａ，４ｂ，４ｄの下方においては、対応するネット刃４ａ，４ｂ，４ｄの湾曲に沿うＵ字状の内刃１５ａ，１５ｂ，１５ｄが、基台１４ａ，１４ｂ，１４ｄに固定した状態で配してある。またスリット刃４ｃの下方においては、このスリット刃４ｃの湾曲に沿うコ字状のスリット内刃１５ｃが基台１４ｃに固定した状態で配してある。
【００２４】
これら各基台１４ａ，１４ｂ，１４ｃ，１４ｄは、ヘッド部３の上端面から突出させてある専用の駆動桿１３ａ，１３ｂ，１３ｃ，１３ｄに装着される。内刃１５ａ，１５ｂ，１５ｄの基台１４ａ，１４ｂ，１４ｄが装着される駆動桿１３ａ，１３ｂ，１３ｄは、内部に備えてある押し上げばね１６ａ，１６ｂ，１６ｄの復元力により、各内刃１５ａ，１５ｂ，１５ｄに上方への付勢力を与えて各ネット刃４ａ，４ｂ，４ｄ内面に押し付ける。またスリット内刃１５ｃの基台１４ｃは、左右一対のスリット押し上げばね１７を介して外刃枠７ｃに弾性的に連結され、このスリット押し上げばね１７の復元力によりスリット内刃１５ｃに付勢力を与えてスリット刃４ｃの内面に押し付ける。スリット内刃１５ｃ用の駆動桿１３ｃは、外刃フレーム１０がヘッド部３に装着される際に基台１４ｃの溝部に連結されるようになっている。
【００２５】
ヘッド部３内には、各内刃１５ａ，１５ｂ，１５ｃ，１５ｄを往復駆動するためのモータ１８として、図２や図７に示すようなリニアモータを内蔵している。このモータ１８は、第１のネット刃４ａ及び仕上げ用ネット刃４ｂと対応する内刃１５ａ，１５ｂに連結される一対の駆動桿１３ａ，１３ｂを一体に往復駆動させるとともに、第２のネット刃４ｄと対応する内刃１５ｄに連結される駆動桿１３ｄを、前記一対の駆動桿１３ａ，１３ｂとは逆方向に往復駆動させる。スリット内刃１５ｃに連結される駆動桿１３ｃは駆動桿１３ｄから前方に延設されており、駆動桿１３ｄと一体に往復駆動される。
【００２６】
したがって、グリップ部２のスイッチ部４０を操作してモータ１８をオンにすると、前側の内刃１５ａ，１５ｂが駆動桿１３ａ，１３ｂを介して第１のネット刃４ａ及び仕上げ用ネット刃４ｂの内面に往復摺動するとともに、これと反対方向に向けて、後側のスリット内刃１５ｃ及び内刃１５ｄが駆動桿１３ｃ，１３ｄを介してスリット刃４ｃ及び第２のネット刃４ｄの内面に往復摺動するものである。
【００２７】
また、所定の上下範囲内にて上下動自在に設置される各ネット刃４ａ，４ｂ，４ｄ及びスリット刃４ｃには、それぞれ上方への付勢力が付与されている。各ネット刃４ａ，４ｂ，４ｄにおいては、その内面に当たる各内刃１５ａ，１５ｂ，１５ｄを上方に押し上げる押し上げばね１６ａ，１６ｂ，１６ｄがこの付勢手段として機能し、スリット刃４ｃにおいては、隣接する仕上げ用ネット刃４ｂの外刃枠７ｂとの間に配される連結ばね１９（図４，図６参照）がこの付勢手段として機能する。
【００２８】
肌ガード部材６は、仕上げ用ネット刃４ｂを固定する外刃枠７ｂと一体に形成されており、この仕上げ用ネット刃４ｂ及び外刃枠７ｂと一体に、上方への付勢力を伴って上下動自在に配された構造となっている。
【００２９】
図６には、前側の二つのネット刃４ａ，４ｂ（即ち、第１のネット刃４ａと仕上げ用ネット刃４ｂ）に働く上方への付勢力を低減させるように働くばね機構を示している。このばね機構は、圧縮状態で配される前述の連結ばね１９と、仕上げ用ネット刃４ｂと第１のネット刃４ａとの間に圧縮状態で配される連結ばね２０とで主体を成している。連結ばね１９は、仕上げ用ネット刃４ｂを固定する外刃枠７ｂの下端部から後方に延設されるアーム２１の上面にその下端を係止させ、且つスリット刃４ｃを固定する外刃枠７ｃの下面にその上端を当接させたものである。また連結ばね２０は、第１のネット刃４ａを固定する外刃枠７ａの下端部から後方に延設されるアーム２２の上面にその下端を係止させ、且つ仕上げ用ネット刃４ｂを固定する外刃枠７ｂの下面にその上端を当接させたものである。
【００３０】
ここで、初期状態（即ち、肌の押し当てによる下方への押し下げ力が働いていない状態）において連結ばね１９が発生させる伸張方向の弾性力は、連結ばね２０が発生させる伸張方向の弾性力よりも大きくなるように設定してある。また、各押し上げばね１６ａ，ｂ，ｄが各ネット刃４ａ，４ｂ，４ｄを押し上げる付勢力は、連結ばね１９よりも大きな付勢力で略一致させてある。これにより仕上げ用ネット刃４ｂには、連結ばね１９の弾性力から連結ばね２０の弾性力を減じた弾性力が下向きに働き、第１のネット刃４ａには、連結ばね２０の弾性力が下向きに働く。
【００３１】
つまり本例にあっては上記ばね構造により、ヘッド部３の刃面Ｓを肌に押し付けた際に、最も後方に位置する第２のネット刃４ｄに働く上方への付勢力と比べて、第１のネット刃４ａと仕上げ用ネット刃４ｂに働く上方への付勢力の方が小さくなるように設けてある。各ネット刃４ａ，４ｂ，４ｄに働く付勢力のバランスをこのような大小関係にすれば、例えば肌に押し当てた刃面Ｓを後方に滑らせていく際に、最も付勢力が大きく抵抗の強い第２のネット刃４ｄにより肌を後方に引っ張り、体毛を肌表面から大きく引き出した状態として短く仕上げることが可能となる。
【００３２】
なお、上記ばね構造の連結ばね１９，２０は必ずしも両方を備える必要は無く、一方だけを備えるか或いは両方共に備えていない構成であっても、押し上げばね１６ａ，１６ｂ，１６ｃ等の種類や配置を調整することで、第２のネット刃４ｄに働く付勢力を、第１のネット刃４ａおよび仕上げ用ネット刃４ｂに働く付勢力よりも大きく設けることは可能である。
【００３３】
次に、各外刃４の初期状態における上下高さについて詳述する。図２に示すように、刃面Ｓの前端に位置する第１のネット刃４ａの初期状態での上下高さは、刃面Ｓの後端に位置する第２のネット刃４ｄの初期状態での上下高さよりも距離ｄ１（＝０．５〜３ｍｍ）だけ低い位置に配置してあり、仕上げ用ネット刃４ｂの初期状態での上下高さは、第２のネット刃４ｄの初期状態での上下高さと一致させてある。ここでの高さの基準となる上下方向は、各外刃４が上下動する方向である。
【００３４】
また、初期状態においてスリット刃４ｃは、第１のネット刃４ａよりも高く、且つ仕上げ用ネット刃４ｂ及び第２のネット刃４ｄよりは距離ｄ２（＜ｄ１）だけ低い位置に設けてある。更に、仕上げ用ネット刃４ｂと一体に上下動する肌ガード部材６は、仕上げ用ネット刃４ｂよりも距離ｄ３（＞ｄ２）だけ低く、且つ初期状態においては第１のネット刃４ａよりも高くなる位置に設けてある。
【００３５】
このような上下高さに設定しておくことで、例えば図８のように顎下を剃る場合には、刃面Ｓ上に並設される第１のネット刃４ａ、肌ガード部材６、仕上げ用ネット刃４ｂ、スリット刃４ｃ、第２のネット刃４ｄの全てが顎下の曲面に沿って略均等に当たり、それぞれに押し付け力を分散させながら剃り残し無く、短く仕上げることが可能となる。特に、刃幅Ｗｂが小さくて痛みを感じさせ易い仕上げ用ネット刃４ｂにおいては、前後に位置する肌ガード部材６とスリット刃４ｃとが押し付け力の分散手段として機能するので、安定的な押し付け力によって大きな刺激を生じさせることなく、顎下の髭を短く仕上げることが可能になっている。
【００３６】
一方、顎先や鼻下等の細部を剃る場合には、最も低く位置させてある手前側の第１のネット刃４ａが肌に当たることがなくなり、仕上げ用ネット刃４ｂ、スリット刃４ｃ、第２のネット刃４ｄを肌に当てながら細かく仕上げることが可能となる。特に、図９に示すように尖った顎先を小さな押し付け力で剃る場合には、第１及び第２のネット刃４ａ，４ｄが共に肌に当たらず、肌ガード部材６と仕上げ用ネット刃４ｂとスリット刃４ｃだけが肌に押し当たることとなるが、この場合でも仕上げ用ネット刃４ｂに対する押し当て力は両側の肌ガード部材６とスリット刃４ｃとに適度に分散されて痛みを感じることはない。スリット刃４ｃにあっても、肌ガード部材６と仕上げ用ネット刃４ｂとの間で分散された適度な押し付け力によって、癖毛や長毛を速やかに切断して適度な長さにした後で仕上げ用ネット刃４ｂに導入させることが可能である。
【００３７】
次に、各外刃４のうち一つが大きく下方に移動すれば隣接する他の外刃４を一体として下方に移動させる連動構造について詳述する。図７に示すように、第１のネット刃４ａを固定する外刃枠７ａの後壁からは連動リブ２３ａが突設してあり、仕上げ用ネット刃４ｂを固定する外刃枠７ｂの前壁からは、この連動リブ２３ａの下方に隙間を介して位置する受け部２４ｂを設けてある。また仕上げ用ネット刃４ｂを固定する外刃枠７ｂの後壁からは連動リブ２３ｂが突設してあり、スリット刃４ｃを固定する外刃枠７ｃの前壁からは、隙間を介してこの連動リブ２３ｂの下方に位置する突起状の受け部２４ｃを設けてある。更に第２のネット刃４ｄを固定する外刃枠７ｄの前壁からも同様の連動リブ２３ｄが突設してあり、スリット刃４ｃを固定する外刃枠７ｃの後壁からは、隙間を介してこの連動リブ２３ｄの下方に位置する同様の受け部２４ｃ′が設けてある。
【００３８】
この連動構造を備えたことで、例えば仕上げ用ネット刃４ｂ又は第２のネット刃４ｄだけが所定量を超えて下方に沈み込めば、連動リブ２３ｂと受け部２４ｃの当接又は連動リブ２３ｄと受け部２４ｃ′との当接により、スリット刃４ｃ及び外刃枠７ｃは下方へと一体に沈み込む。また第１のネット刃４ａだけが所定量を超えて下方へと沈み込めば、連動リブ２３ａと受け部２４ｂとの当接により、仕上げ用ネット刃４ｂ及び外刃枠７ｂは下方へと一体に沈み込む。また図示例では備えていないが、同様の構成により、スリット刃４ｃだけが所定量を超えて下方に沈み込むと仕上げ用ネット刃４ｂが一体に沈み込むように設けても良い。このような連動構造によって、スリット刃４ｃや仕上げ用ネット刃４ｂだけが大きく突出し、肌に強く接触して痛みを与えるという事態が防止される。
【００３９】
次に、仕上げ用ネット刃４ｂについて詳述する。図１０，図１１に示すように、ネット状の外刃４である仕上げ用ネット刃４ｂは、多数の刃孔５を一面に穿設することで、各刃孔５を複数の桟部２５で囲んだ形状となっている。なお、ここでの桟部２５とは、隣接する刃孔５との間にて桟状に形成される部分を意味する。多数の刃孔５のうち、少なくとも前後方向中央の領域（即ち、上が凸となるようにＵ字状に湾曲させた状態で上端側となる領域）に位置するものにおいては、各刃孔５を囲む複数の桟部２５の内面側は面一に設けたうえで、これら桟部２５のうち体毛を引掛けて刃孔５に導入するための部分を、他の部分よりも刃厚Ｔの小さな薄桟部２５ｂとして形成している（図１２参照）。
【００４０】
つまり、各刃孔５を囲む複数の桟部２５は、全体の刃厚Ｔ（＝Ｔａ）を一様に小さく設けた薄桟部２５ｂと、全体の刃厚Ｔ（＝Ｔｂ）を一様に大きく設けた厚桟部２５ａとで形成されている。具体的には、六角形状を成す刃孔５の周囲を囲む都合三対の桟部２５のうち、剃り方向と直交する左右方向（即ち、外刃４の長手方向Ｘ）に沿って形成される一対の桟部２５を薄桟部２５ｂとし、剃り方向である前後方向（即ち、外刃４の短手方向Ｙ）に沿って形成される二対の桟部２５を厚桟部２５ａとしている。各刃孔５の前後方向に隣接する厚桟部２５ａは外面側が面一となるように連続させてあり、更に、前後方向に隣接する複数の刃孔５に跨ってこの厚桟部２５ａを外面側が面一となるように連続させてあるので、仕上げ用ネット刃４ｂ全体としては、前後方向に沿ってジグザグ状に連続する厚桟部２５ａが左右方向に多数並設されるとともに、隣接するジグザグ状の厚桟部２５ａ同士を、前後方向に並設される多数の薄桟部２５ｂで繋いだ構造となっている。
【００４１】
刃厚Ｔを上記のように設定することで、剃り方向である前後方向（即ち外刃４の短手方向Ｙ）に沿って伸びる厚桟部２５ａによって肌が刃孔５を通じて内側に大きく突出することを抑制しながら、剃り方向とは交差する左右方向（即ち外刃４の長手方向Ｘ）に沿って伸びる薄桟部２５ｂによって体毛を効率的に起こして刃孔５内に導入し、痛みを感じさせることなく短く仕上げることを可能にしている。
【００４２】
具体的な寸法としては、刃孔５の前後方向の長さ０．３ｍｍ、左右方向の長さ０．５ｍｍとし、厚桟部２５ａの刃厚Ｔａ＝５０〜８０μｍ、薄桟部２５ｂの刃厚Ｔｂ≦４５μｍとすることが好ましく、ここでは厚桟部２５ａの刃厚Ｔａ＝６０μｍ、薄桟部２５ｂの刃厚Ｔｂ＝３５μｍとしてある。この寸法とすることで、厚桟部２５ａでは内刃１５との接触による肌刺激を抑制し、且つ薄桟部２５ｂでは、寝た状態にある体毛と肌との間に入り込むことが可能になっている。なお、第１及び第２のネット刃４ａ，４ｂにおいては、刃孔を囲む各桟部の刃厚は仕上げ用ネット刃４ｂの厚桟部２５ａと同様に５０〜８０μｍ、対を成す桟部の間隔は０．３〜０．８ｍｍに設けてある。
【００４３】
また図１２に示すように、薄桟部２５ｂの鋭角を成す刃先角βは、同じく鋭角を成す厚桟部２５ａの刃先角αよりも更に小さく形成しており、これにより薄桟部２５ｂの刃先で体毛を引掛けて起こすことのできる確率を向上させてある。
【００４４】
図１３には、仕上げ用ネット刃４ｂの変形例を示している。図中にて斜線で示す部分が薄桟部２５ｂである。図１３（ａ）に示す変形例にあっては刃孔５を円形状に設けてあるが、この場合も刃孔５を囲む複数の桟部２５のうち外刃４の長手方向Ｘに沿って形成される一対の桟部２５を薄桟部２５ｂとし、外刃４の短手方向Ｙに沿う他の部分を厚桟部２５ａとすることで、厚桟部２５ａの占める割合を薄桟部２５ｂの占める割合よりも大きく設けてある。また、この変形例にあっても、前後方向に隣接する複数の刃孔５に跨って厚桟部２５ａを略一直線状に連続させている。
【００４５】
図１３（ｂ）に示す変形例にあっては刃孔５を三角形状に設けてあるが、この場合であっても各刃孔５を囲む厚桟部２５ａが占める割合を薄桟部２５ｂが占める割合よりも大きく設けるとともに、前後方向に隣接する複数の刃孔５に跨って厚桟部２５ａを略一直線状に連続させている。
【００４６】
以上、刃面Ｓの前側から後側へと向けて、第１のネット刃４ａ、仕上げ用ネット刃４ｂ、スリット刃４ｃ、第２のネット刃４ｄの順に並設されたものについて述べたが、この配列が前後逆となっても構わない。また内刃１５の構成についても、本例のように外刃４の長手方向Ｘに摺動する往復刃に限定されず、外刃４の短手方向Ｙに摺動する回転刃であっても構わない。
【図面の簡単な説明】
【００４７】
【図１】本発明の実施形態における一例の電気かみそりの要部斜視図である。
【図２】同上の電気かみそりの要部側断面図である。
【図３】同上の電気かみそりの全体正面図である。
【図４】同上の電気かみそりの外刃カセットや内刃を示す分解斜視図である。
【図５】同上の電気かみそりの外刃カセットや内刃を外した状態のヘッド部を示す斜視図である。
【図６】同上の電気かみそりのばね構造を示す説明用断面図である。
【図７】同上の電気かみそりのヘッド部を示す側断面図である。
【図８】同上の電気かみそりを用いて顎下を剃る場合を示す説明図である。
【図９】同上の電気かみそりを用いて顎先を剃る場合を示す説明図である。
【図１０】同上の電気かみそりの仕上げ用ネット刃を示す平面図である。
【図１１】同上の電気かみそりの仕上げ用ネット刃を示す要部斜視図である。
【図１２】（ａ）は図１１のＡ−Ａ線断面図、（ｂ）は図１１のＢ−Ｂ線断面図である。
【図１３】同上の電気かみそりの仕上げ用ネット刃の変形例の説明図であり、（ａ）は第１の変形例、（ｂ）は第２の変形例を示している。
【図１４】電気かみそりの外刃の刃孔内に体毛を導入する様子を示す説明図であり、（ａ）は刃厚を大きくした場合、（ｂ）は刃厚を小さくした場合を示している。
【図１５】電気かみそりの外刃の刃孔内に肌が突出する様子を示す説明図であり、（ａ）は刃厚を大きくした場合、（ｂ）は刃厚を小さくした場合を示している。
【符号の説明】
【００４８】
１  本体部
４  外刃
５  刃孔
１５  内刃
１８  モータ
２５  桟部
２５ａ  厚桟部
２５ｂ  薄桟部
Ｔ  刃厚
Ｔａ  刃厚
Ｔｂ  刃厚
Ｘ  長手方向
Ｙ  短手方向
α  刃先角
β  刃先角
【図１】
2008142275.tif 000003
【図２】
2008142275.tif 000004
【図３】
2008142275.tif 000005
【図４】
2008142275.tif 000006
【図５】
2008142275.tif 000007
【図６】
2008142275.tif 000008
【図７】
2008142275.tif 000009
【図８】
2008142275.tif 000010
【図９】
2008142275.tif 000011
【図１０】
2008142275.tif 000012
【図１１】
2008142275.tif 000013
【図１２】
2008142275.tif 000014
【図１３】
2008142275.tif 000015
【図１４】
2008142275.tif 000016
【図１５】
2008142275.tif 000017